【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
熱伝達組成物であって、
（ｉ）１，１−ジフルオロエテン（Ｒ−１１３２ａ）１０〜９９重量％と、
（ｉｉ）前記組成物の１〜９０重量％のヘキサフルオロエタン（Ｒ−１１６）、及び所望によりエタン（Ｒ−１７０）である、第二成分と、所望により
（ｉｉｉ）二酸化炭素（ＣＯ２、Ｒ−７４４）と
を含んでなる、熱伝達組成物。
【請求項２】
Ｒ−１１３２ａを１４〜９９重量％及びＲ−１１６を１〜８６重量％含んでなる、請求項１に記載の組成物。
【請求項３】
Ｒ−１１３２ａを３５〜９９重量％及びＲ−１１６を１〜６５重量％含んでなる、請求項１又は２に記載の組成物。
【請求項４】
ＣＯ２をさらに含んでなる、請求項１〜３のいずれか一項に記載の組成物。
【請求項５】
Ｒ−１１３２ａを２〜９８重量％、Ｒ−１１６を２〜９８重量％及びＣＯ２を２〜６０重量％含んでなる、組成物。
【請求項６】
Ｒ−１１３２ａを４〜９６重量％、Ｒ−１１６を４〜９６重量％及びＣＯ２を４〜５０重量％含んでなる、請求項５に記載の組成物。
【請求項７】
前記ＣＯ２が６〜４０重量％の量で存在する、請求項４〜６のいずれか一項に記載の組成物。
【請求項８】
エタンを１〜５０重量％及びＲ−１１３２ａを５０〜９９重量％含んでなる、請求項４に記載の組成物。
【請求項９】
エタンを１〜２５重量％及びＲ−１１３２ａを７５〜９９重量％含んでなる、請求項４に記載の組成物。
【請求項１０】
Ｒ−１１３２ａ、Ｒ−１１６及びエタンを含んでなる、請求項１に記載の組成物。
【請求項１１】
Ｒ−１１３２ａを４〜７０重量％、Ｒ−１１６を４〜９６重量％及びエタンを４〜９２重量％含んでなる、請求項１０に記載の組成物。
【請求項１２】
Ｒ−１１３２ａを４〜７０重量％、Ｒ−１１６を４〜８８重量％及びエタンを８〜９２重量％含んでなる、請求項１１に記載の組成物。
【請求項１３】
ＣＯ２をさらに含んでなる、請求項１０〜１２のいずれか一項に記載の組成物。
【請求項１４】
存在するエタン及びＣＯ２の合計が前記組成物の５０重量％未満である、請求項１３に記載の組成物。
【請求項１５】
エタンと少なくとも同量のＣＯ２、又は少なくともエタンの２倍の量のＣＯ２を含んでなる、請求項１３又は１４に記載の組成物。
【請求項１６】
エタンを２〜２０重量％、ＣＯ２を２〜４５重量％、Ｒ−１１３２ａを１５〜８５重量％及びＲ−１１６を５〜８０重量％含んでなる、請求項１３〜１５のいずれか一項に記載の組成物。
【請求項１７】
エタンを４〜１２重量％、ＣＯ２を４〜４０重量％、Ｒ−１１３２ａを２０〜８０重量％及びＲ−１１６を８〜７６重量％含んでなる、請求項１６に記載の組成物。
【請求項１８】
ペンタフルオロエタン（Ｒ−１２５）をさらに含んでなる、請求項１〜１７のいずれか一項に記載の組成物。
【請求項１９】
組成物中に存在するエタンに加えて炭化水素をさらに含む、請求項１〜１８のいずれか一項に記載の組成物。
【請求項２０】
Ｒ−１１３２ａ、Ｒ−１１６及び所望によりＣＯ２から本質的になる、請求項１〜１７のいずれか一項に記載の組成物、又はＲ−１１３２ａ、Ｒ−１１６、Ｒ−１７０及び所望によりＣＯ２から本質的になる組成物。
【請求項２１】
前記組成物がＲ−１１３２ａ単独よりも可燃性が低い、請求項１〜２０のいずれか一項に記載の組成物。
【請求項２２】
Ｒ−１１３２ａ単独と比べて、前記組成物が、
（ａ）より高い可燃限界、
（ｂ）より高い点火エネルギー及び／又はより低い火炎速度
を有する、請求項２１に記載の組成物。
【請求項２３】
不燃性である、請求項１〜２２のいずれか一項に記載の組成物。
【請求項２４】
前記組成物が周囲温度で不燃性である、又は６０℃で不燃性である、請求項２３に記載の組成物。
【請求項２５】
蒸発器又は凝縮器内で温度勾配が１０Ｋ未満、又は５Ｋ未満である、請求項１〜２４のいずれか一項に記載の組成物。
【請求項２６】
臨界温度が０℃より高い、又は１０℃より高い、請求項１〜２５のいずれか一項に記載の組成物。
【請求項２７】
体積冷却能力が、同様のサイクル条件でＲ−５０８Ｂの体積冷却能力の少なくとも９０％である、請求項１〜２６のいずれか一項に記載の組成物。
【請求項２８】
圧縮器吐出温度が、同様のサイクル条件でＲ−５０８Ｂの圧縮器吐出温度の１５Ｋ以内である、請求項１〜２７のいずれか一項に記載の組成物。
【請求項２９】
潤滑剤及び請求項１〜２８のいずれか一項に記載の組成物を含んでなる、組成物。
【請求項３０】
前記潤滑剤が、鉱油、シリコーン油、ポリアルキルベンゼン類（ＰＡＢ）、ポリオールエステル類（ＰＯＥ）、ポリアルキレングリコール類（ＰＡＧ）、ポリアルキレングリコールエステル類（ＰＡＧエステル類）、ポリビニルエーテル類（ＰＶＥ）、ポリ（アルファ−オレフィン類）及びそれらの組合せから選択され、又は前記潤滑剤がＰＡＧ又はＰＯＥから選択される、請求項２９に記載の組成物。
【請求項３１】
安定剤及び請求項１〜３０のいずれか一項に記載の組成物を含んでなる、組成物。
【請求項３２】
前記安定剤が、ジエン系化合物類、ホスフェート類、フェノール化合物類及びエポキシド類とそれらの混合物から選択される、請求項３１に記載の組成物。
【請求項３３】
難燃剤及び請求項１〜３２のいずれか一項に記載の組成物を含んでなる、組成物。
【請求項３４】
前記難燃剤が、トリ（２−クロロエチル）ホスフェート、（クロロプロピル）ホスフェート、トリ（２，３−ジブロモプロピル）ホスフェート、トリ（１，３−ジクロロプロピル）ホスフェート、リン酸二アンモニウム、様々なハロゲン化芳香族化合物、酸化アンチモン、アルミニウム三水和物、ポリ塩化ビニル、フッ素化ヨードカーボン、フッ素化ブロモカーボン、トリフルオロヨードメタン、ペルフルオロアルキルアミン類、ブロモ−フルオロアルキルアミン類及びそれらの混合物からなる群より選択される、請求項３３に記載の組成物。
【請求項３５】
請求項１〜３４のいずれか一項に記載の組成物を含んでなる、熱伝達装置。
【請求項３６】
前記熱伝達装置が冷却装置である、請求項３５に記載の熱伝達装置。
【請求項３７】
前記熱伝達装置が超低温冷却システムを含んでなる、請求項３５又は３６に記載の熱伝達装置。
【請求項３８】
前記熱伝達装置がカスケードシステムを含んでなる、請求項３５〜３７のいずれか一項に記載の熱伝達装置。
【請求項３９】
スプレーされるべき物質と、請求項１〜３４のいずれか一項に記載の組成物を含んでなる噴射剤とを含んでなる、スプレー用組成物。
【請求項４０】
請求項１〜３４のいずれか一項に記載の組成物を凝縮させた後、冷却されるべき物品の近くで該組成物を蒸発させることを含んでなる、物品を冷却する方法。
【請求項４１】
加熱されるべき物品の近くで請求項１〜３４のいずれか一項に記載の組成物を凝縮させた後、該組成物を蒸発させることを含んでなる、物品を加熱する方法。
【請求項４２】
請求項１〜３４のいずれか一項に記載の組成物を含んでなる溶媒をバイオマスと接触させ、該溶媒から物質を分離することを含んでなる、バイオマスから物質を抽出する方法。
【請求項４３】
物品を請求項１〜３４のいずれか一項に記載の組成物を含んでなる溶媒と接触させることを含んでなる、物品を清浄化する方法。
【請求項４４】
水溶液又は粒状固体マトリックスを請求項１〜３４のいずれか一項に記載の組成物を含んでなる溶媒と接触させ、該溶媒から物質を分離することを含んでなる、水溶液又は粒状固体マトリックスから物質を抽出する方法。
【請求項４５】
請求項１〜３４のいずれか一項に記載の組成物を含んでなる、機械的動力発生装置。
【請求項４６】
ランキンサイクル又はその変法を用いて熱から仕事を発生するように構成されている、請求項４５に記載の機械的動力発生装置。
【請求項４７】
既存の熱伝達組成物を除去して、請求項１〜３４のいずれか一項に記載の組成物を導入する工程を含んでなる、熱伝達装置を改修する方法。
【請求項４８】
前記熱伝達装置が冷却装置、又は超低温冷却システムである、請求項４７に記載の方法。
【請求項４９】
既存の化合物又は組成物を含んでなる製品の取扱いから生じる環境影響を減らす方法であって、既存の化合物又は組成物を請求項１〜３４のいずれか一項に記載の組成物で少なくとも部分的に置き換えることを含んでなる、方法。
【請求項５０】
空調、冷却、熱伝達、エアロゾル又はスプレー用噴射剤、気体誘電体、火炎抑制、溶媒、クリーナー、局所麻酔剤及び膨張用途の分野からの製品に対して行われる、請求項４７に記載の方法。
【請求項５１】
前記製品が、熱伝達装置、スプレー用組成物、溶媒又は機械的動力発生装置、又は熱伝達装置から選択される、請求項４９又は５０に記載の方法。
【請求項５２】
前記製品が、熱伝達装置である、請求項５１に記載の方法。
【請求項５３】
前記熱伝達装置が、超低温冷却システムである、請求項５２に記載の方法。
【請求項５４】
前記既存の化合物又は組成物が熱伝達組成物であり、又は該熱伝達組成物がＲ−５０８Ａ、Ｒ−５０８Ｂ、Ｒ２３及びＲ１３Ｂ１から選択される冷媒である、請求項４９〜５３のいずれか一項に記載の方法。